(57)【特許請求の範囲】
【請求項１】
パイプ（１）上端に接続される上蓋（２）外周に作動用雄ねじ（７）をもうけ、上記作動用雄ねじ（７）に螺合する作動用雌ねじ（３）を有する樹脂製のハンドル（５）内に、ロッド（８）先端に接続され、上部に縦断面がコ状の円周溝（１２）をもうける操作桿（６）を収容し、ハンドル（５）上方側部に貫通溝（１４）をもうけ、上記貫通溝（１４）の両側から支持片（１６）をそれぞれ挿入して、上記支持片（１６）に設けた半円周状の支持部（１８）が上記操作桿（６）の円周溝（１２）に嵌合する水抜栓の操作部。
【請求項２】
上記支持片（１６）は同一のものを２個使用し、支持片（１６）には凹部（２３）を、ハンドル（５）には、上記凹部（２３）に係止される凸部（１７）をもうけて、支持片（１６）がハンドル（５）から脱落しないようにしたことを特徴とする請求項１記載の水抜栓の操作部。
【請求項３】
上記支持片（１６）は同一のものを２個使用し、支持部（１８）先端の一端にもうけた腕部（１９）が、相手の支持片（１６）の他端にもうけた係止溝（２１）に嵌合し、かつ、腕部（１９）先端の上向き突起（２０）が係止溝（２１）にもうけた下向き突起（２２）に係止されるようにしたことを特徴とする請求項１記載の水抜栓の操作部。
【発明の詳細な説明】
【０００１】
【発明の属する技術分野】
本発明は、寒冷地で配管の水抜きに使用される水抜栓に関し、特に、コストが安く、分解が簡単な、水抜栓の操作部に関する。
【０００２】
【従来の技術】
従来、ねじでピストンを上下動して通水、排水を行う水抜栓は、操作部に図５に示すようなものが多く使用されていた。即ち、地中に埋設される弁箱（図面省略）から延長されるパイプ１上端に接続された上蓋２内に作動用雌ねじ３をもうけ、上端にビス４でハンドル５を接続した操作桿６に、上記作動用雌ねじ３と螺合する作動用雄ねじ７をもうけ、下端に、弁箱を往復動するピストン（図面省略）から延長されるロッド８上端に接続される管継手９を回転自在に、いわゆる管吊り連結している。これは、操作桿６の回転をピストンに伝えると、ハンドル操作が重くなるということと、弁座を駒パッキンで止水する形式のものにあっては、駒パッキンが緩みやすくなるということ等のためである。
【０００３】
そのため、どうしても部品点数が多くなり、かつ、真鍮等の金属で形成される上蓋２、操作桿６の寸法も長くなり、さらに、上蓋２、操作桿６は美感上、クロムメッキをかけているため、コストが高くならざるを得ない、という欠点があった。
【０００４】
【発明が解決しようとする課題】
本発明は、上記点に鑑み、ハンドルの回転をピストンに伝えない構造は有しつつ、コストが安く、分解が簡単な、水抜栓の操作部を提供することを目的とする。
【０００５】
【課題を解決するための手段】
そのため本発明においては、パイプ上端に接続される上蓋外周に作動用雄ねじをもうけ、上記作動用雄ねじに螺合する作動用雌ねじを有する樹脂製ハンドル内に、ロッド先端に接続され、上部に縦断面がコ状の円周溝をもうける操作桿を収容し、ハンドル上方側部に貫通溝をもうけ、上記貫通溝の両側から支持片をそれぞれ挿入して、上記支持片に設けた半円周状の支持部が上記操作桿の円周溝に嵌合したものである。
【０００６】
【発明の実施の形態】
以下、本発明の実施の形態を図面に基づいて詳細に説明する。図１に示す実施例において、パイプ１の上端部に接続される上蓋２は外周に作動用雄ねじ７を有し、上端に鍔部１０をもうけている。ロッド８は調整ナット１１を介して操作桿６に直接接続され、操作桿６は上端に縦断面がコ状の円周溝１２を形成する。図は操作桿６の最上昇位置を示しており、下端段部１３が上蓋２の鍔部１０に当接した状態で停止している。
【０００７】
５は樹脂製のハンドルであり、内部に、上記作動用雄ねじ７に螺合する作動用雌ねじ３を有し、その上方側方に、図２、３に示すような貫通溝１４をもうけている。貫通溝１４内に２本のガイドレ−ル１５を形成し、上記ガイドレ−ル１５に沿って２個の同一の支持片１６を挿入する。さらに、貫通溝１４下端両側に２個の凸部１７を形成する。
【０００８】
図２において２個の支持片１６の内、右方の支持片は説明上、逆さまにしてあるが、先端に操作桿６の円周溝１２に嵌合する半円周状の支持部１８をもうけ、その先端の一端に、細長い腕部１９を突出させ、さらにその先端に図４のごとく上向き突起２０を形成する。
【０００９】
他端下端部に、腕部１９を収容する係止溝２１をもうけ、その中に３個の下向き突起２２を形成し、上向き突起２０に係止され、さらに、凹部２３を穿ち、上記凸部１７に係止されてて支持片１６はお互いにスライドはするが容易には離脱しないようにしている。凸部１７および凹部２３は側方にもうけることも可能である。２４はガイドレ−ル１５をスライドする段部であり、支持片１６の外形は違和感がないようにハンドル５の形状に合わせている。２５はハンドル５から支持片１６を取り外す際の爪掛け部であり、さらにハンドル５には回しやすいように４個の突起２６を形成している。
【００１０】
図１は操作桿６が最上昇した状態を示しており、この状態からハンドル５を回すと、作動用雄ねじ７に螺合する作動用雌ねじ３により、ハンドル５は回転しながら下降するが、円周溝１２に嵌合する支持部１８により、操作桿６は回転することなく下降する。
【００１１】
なお、下降する際はハンドル内頂部２７が操作桿６の上端鍔部２８に当接するようにしても良いが、上昇するときは支持部１８が上端鍔部２８を支持するようにするのは当然である。
【００１２】
上蓋２、操作桿６は、通常、金属製なので、ハンドル５および支持片１６が樹脂製ということは、摩擦係数の低減即ちハンドル操作の容易さにつながって来るので有利となる。
【００１３】
パッキン等の事故でピストンをパイプ１から引き抜かなければならないときは、爪掛け部２５あるいはハンドル５と支持片１６の隙間に爪を掛け、外方に引っ張ると、腕部１９の上向き突起２０が２個の下向き突起２２を乗り越えるが、最後の１個は他の２個より高さが高いため、そこで係止され、それと同時に、凹部２３が凸部１７に係止されるため、通常状態では離脱することはない。その後でハンドル５を上方に作動用雌ねじ３が作動用雄ねじ７から離脱するまで回転させ、上蓋２をパイプ１から取り外してから、パイプ１の上方に露出した操作桿６を掴んで引き抜けばよい。
【００１４】
上蓋２を取り外すスパナさえあれば、他の工具は必要なく、分解、組立も簡単にできる。なお、調整ナット１１は、一定のストロ−クになるよう、ロッド８を操作桿６にねじ込んだ位置で固定させるためのものである。
【００１５】
なお、腕部１９は必ずしも必須の構成要件ではなく、それを省略し、凸部１７と凹部２３だけで構成することもでき、また、逆に、凸部１７と凹部２３を省略することも可能である。
【発明の効果】
上述したように本発明においては、通常状態では上蓋２、操作桿６はハンドル５に隠されて露出しないので、美感のためにメッキする必要がなく、上蓋２外周に作動用雄ねじ７をもうけたので、上蓋２だけでなく、操作桿６も短くて済み、同一の樹脂製支持片１６を操作桿６の係止そして回転自在機構として使用したので、図５の引用例のような管継手９が必要なく、操作桿６の下端を管吊り加工しないで済むなど、コストが非常に安くなり、図５のビス４が必要ないので、デザイン性が自由で、且つ美感を高め、支持片１６を移動させ、ハンドル５を取り外せば、ピストンの引き抜きも容易に行うことができ、さらに、上向き突起２０と下向き突起２２、あるいは、凸部１７と凹部２３により、容易には支持片１６がハンドル５から離脱することはない、という効果を有する。
【図面の簡単な説明】
【図１】本発明の１実施例を示す縦断面図である。
【図２】図１におけるハンドルの分解平面図である。
【図３】図２のハンドルのＡーＡ外観図である。
【図４】図２の支持片の側面図である。
【図５】従来例を示す縦断面図である。
【符号の説明】
１          パイプ
２          上蓋
３          作動用雌ねじ
５          ハンドル
６          操作桿
７          作動用雄ねじ
８          ロッド
１２        円周溝
１４        貫通溝
１６        支持片
１７        凸部
１８        支持部
１９        腕部
２０        上向き突起
２１        係止溝
２２        下向き突起
２３        凹部
【図１】
0004135805.tif 000002
【図２】
0004135805.tif 000003
【図３】
0004135805.tif 000004
【図４】
0004135805.tif 000005
【図５】
0004135805.tif 000006